(57)【要約】【課題】導光板に光を照射する光源の取付け構造を簡単にすること。【解決手段】外郭を構成する本体１と、本体１の天面に配された被加熱調理器具を載置する天板２と、天板２の下方に設けられた誘導加熱コイル５と、誘導加熱コイル５に高周波電力を供給する電源回路８と、天板２の下方に配された光源１７と、光源１７の光を導光し天板２方向に光を放射する導光体７と、操作部４からの信号により機器を制御する回路を設けた制御回路基板１１とを備え、光源１７を制御回路基板１１に設ける構成とした。【選択図】図３
2005116386.tif 000002
【特許請求の範囲】
【請求項１】
外郭を構成する本体と、前記本体の天面に配された被加熱調理器具を載置する天板と、前記天板の下方に設けられた誘導加熱コイルと、前記誘導加熱コイルに高周波電力を供給する電源回路と、前記天板の下方に配された光源と、前記光源の光を導光し前記天板方向に光を放射する導光体と、操作部からの信号により機器を制御する回路を設けた制御回路基板とを備え、前記光源を前記制御回路基板に設ける構成とした誘導加熱調理器。
【請求項２】
制御回路基板を収納する操作部ユニットを設け、前記操作部ユニットの操作面を本体の天面に配する構成とした請求項１に記載の誘導加熱調理器。
【請求項３】
制御回路基板を収納するカバーに、導光板の発光面の一部を覆い、天板への光の照射を部分的に遮断する壁を形成する構成とした請求項１または２に記載の誘導加熱調理器。
【請求項４】
導光板もしくは前記導光板を収納するケースのうち、少なくともいずれか一方に凸部または凹部を形成するとともに、制御回路基板を収納するカバーに前記凸部または前記凹部に嵌合する位置決め部を形成する構成とした請求項１に記載の誘導加熱調理器。
【発明の詳細な説明】
【技術分野】
【０００１】
本発明は、天板上に光により加熱中であることおよび被加熱調理器具の載置位置を表示した誘導加熱調理器に関するものである。
【背景技術】
【０００２】
一般にこの種の誘導加熱調理器は、炎等が出ず安全である一方、被加熱調理器具を加熱中であってもそれを載置する天板は視覚的には非加熱状態と変わらず、加熱中であるか否かが一見して判別しにくいといったユーザーの声があり、そのため、一部の製品には加熱中であることをわかりやすくするために、天板から炎をイメージしたリング状等の光を発するものがある（特許文献１参照）。
【０００３】
図４は、特許文献１に記載された従来の誘導加熱調理器を示すものである。図4に示すように、誘導加熱調理器は外郭を構成する本体１０１と、被加熱調理器具１０２を載置する透光性の耐熱ガラスなどからなる天板１０３と、天板１０３の下方に位置し被加熱調理器具１０２を加熱する誘導加熱コイル１０４と、誘導加熱コイル１０４の出力を制御する出力制御手段１０５と、誘導加熱コイル１０４の下方に設けた透光性のガラスあるいは樹脂などから成る導光板１０６と、導光板１０６に光を照射する専用の基板に取付けられた光源１０７とより構成されている。そして、光源１０７を導光板１０６の外周端部より内側に設け、光源１０７から放射された光が入射し導光板１０６中を導光し、導光板１０６の外周部分で天板１０３方向に光を放射するように構成されている。この構成で、光により加熱中であることを示すと同時に、被加熱調理器具を置く位置の目安にもなり使い勝手がよいというものであった。
【特許文献１】特開２００１−１６０４８３号公報
【発明の開示】
【発明が解決しようとする課題】
【０００４】
しかしながら、前記従来の誘導加熱調理器は、天板を照射するために用いる導光板の光源を、機器の制御回路等とは別の基板に設けてある。すなわち、光源は長寿命を要求されるため発光ダイオード等を用いプリント配線板上に実装したものが一般的であった。このため回路部品が増えることと、その電気的接続のためのリード線が必要になる等、機器の複雑化やコストアップ、配線の煩雑化を招いていた。
【０００５】
本発明は、前記従来の課題を解決するもので、導光板に光を照射する光源の取付け構造を簡素化して、コストの低減を図った誘導加熱調理器を提供することを目的とする。
【課題を解決するための手段】
【０００６】
前記従来の課題を解決するために、本発明の誘導加熱調理器は、本体の天面に配された被加熱調理器具を載置する天板と、この天板の下方に配された光源と、前記光源の光を導光し前記天板方向に光を放射する導光体と、操作部からの信号により機器を制御する回路を設けた制御回路基板とを備え、前記光源を前記制御回路基板に設ける構成とした。
【０００７】
この構成により、光源の取付け構造が簡素化され、新たに光源専用のプリント配線板を設ける必要がなく、その基板に接続するためのリード線も不要となる。
【発明の効果】
【０００８】
本発明の誘導加熱調理器は、導光板に光を照射する光源の取付け構造を簡素化して、コストの低減を図ることができる。
【発明を実施するための最良の形態】
【０００９】
第１の発明は、外郭を構成する本体と、前記本体の天面に配された被加熱調理器具を載置する天板と、前記天板の下方に設けられた誘導加熱コイルと、前記誘導加熱コイルに高周波電力を供給する電源回路と、前記天板の下方に配された光源と、前記光源の光を導光し前記天板方向に光を放射する導光体と、操作部からの信号により機器を制御する回路を設けた制御回路基板とを備え、前記光源を前記制御回路基板に設ける構成としたことにより、新たに光源専用の基板を設ける必要がなく、その基板に接続するためのリード線も不要となるので、構造を簡素化でき、コストアップも極力抑えることができる。
【００１０】
第２の発明は、特に第１の発明における構成において、制御回路基板を収納する操作部ユニットを設け、前記操作部ユニットの操作面を本体の天面に配する構成としたことにより、制御回路基板に設けた光源を天板により近い位置に配することが容易になる。
【００１１】
第３の発明は、特に第１または第２の発明の構成において、制御回路基板を収納するカバーに、導光板の発光面の一部を覆い、天板への光の照射を部分的に遮断する壁を形成することにより、照射光の不要部分の遮蔽を、部品を追加することなく行うことができる。
【００１２】
第４の発明は、特に第１の発明の構成において、導光板もしくは前記導光板を収納するケースのうち、少なくともいずれか一方に凸部または凹部を形成するとともに、制御回路基板を収納するカバーに前記凸部または凹部に嵌合する位置決め部を形成することにより、光源からの光を導光板の所定の位置に正確に照射するようにすることができる。
【００１３】
以下、本発明の実施の形態について、図面を参照しながら説明する。なお、この実施の形態によって本発明が限定されるものではない。
【００１４】
（実施の形態）
図１は本発明の一実施の形態における誘導加熱調理器の外観図である。
【００１５】
外郭を形成する本体１の天面には被加熱調理器具を載置する天板２が配されている。天板２は高耐熱のガラス等の、電磁誘導によって加熱されない透光性の材質で構成されている。トップフレーム３は、天板２の外周を囲み、これを支持して、本体１の天面の一部を構成している。
【００１６】
操作部４は、本体１の天面に配され、操作により機器の運転を制御するための信号入力部、及び機器の運転状態を表示する表示部等を有する。
【００１７】
図２は本発明の一実施の形態における誘導加熱調理器の分解斜視図である。図において、天板２の下方には誘導加熱コイル５が近接して設けられている。また、ケース６は誘導加熱コイル５及び、後述する導光板７を収納し、本体１内の所定の位置に保持されている。電源回路８は誘導加熱コイル５に高周波電力を供給しており、冷却ファン９は誘導加熱コイル５及び電源回路８を冷却するためのものである。
【００１８】
また、図３は本発明の一実施の形態における誘導加熱調理器の要部分解斜視図で、操作部ユニット１０及び導光板７等の概略構成を示すものである。
【００１９】
制御回路基板１１は操作部４からの信号により機器の運転を制御するための制御回路部品及び機器の運転状態を表示する表示部を制御するための制御回路部品等を有している。第１のカバー１２及び第２のカバー１３は、制御回路基板１１を各々上下より覆っており、制御回路基板１１は第１のねじ１４によって第１のカバーに取り付けられており、第１のカバー１２と第２のカバー１３は、第２のねじ１５によって固定されて、制御回路基板１１を収納している。
【００２０】
導光板７は、発光して略円環状の光を天板２に照射する発光面１６及び、光源１７からの光を受ける受光面１８を有している。導光板７の発光の動作等については従来と同様であるので説明は省略する。なお、本実施の形態では導光板をそのまま用いているが、導光板の底面および側面を覆うケースを設けそのケースの中に収納するようにしても良い。
【００２１】
光源１７は本実施例の形態においては長寿命を考慮して、発光ダイオードとしているが光源としては特にこれに限定するものではない。
【００２２】
本実施の形態では、光源１７を制御回路基板１１の一部分に設けた光源取付け部１９に配置したことを特徴としている。そして、発光のための電源の供給等は、制御回路に接続されているリード線２０を介して行われる。なお、光源取付け部１９の形態は本実施の形態に限定されるものではない。
【００２３】
第１のカバー１２には導光板７からの天板２への、光の照射を部分的に覆う遮蔽用の壁２１が形成されており、天板２への光の照射形状を整える役割を果たしている。
【００２４】
導光板７には凸部２２が形成されており、第１のカバー１２には凸部２２に嵌合する位置決め部である穴２３が形成されている。
【００２５】
このような構成とすることにより、天板２からリング状等の光を発して、加熱中であることが一見して判別でき、被加熱調理器具を天板２上の所定の位置に容易に置けて使い勝手を良くするための機能を付加しても、新たに光源１７専用の基板を設ける必要がなく、その基板に接続するためのリード線も不要となる。
【００２６】
また、本実施の形態においては、操作部４を天面に配したことにより、制御回路１１上に設けた光源１７を天板２により近い位置に配することが容易になる。
【００２７】
また、本実施の形態においては、制御回路基板１１を収納する第１のカバー１２に、導光板７の発光面１６の一部を覆い、天板２への光の照射を部分的に遮断する壁を形成することにより、照射光の不要部分の遮蔽を、部品を追加することなく行うことができる。
【００２８】
さらに、本実施の形態においては、導光板７に凸部２２を形成するとともに、制御回路基板１１を収納する第１のカバー１２に、凸部２２に嵌合する位置決め部である穴２３を形成することにより、光源１７からの光を導光板７の所定の位置に正確に照射することができる。
【産業上の利用可能性】
【００２９】
以上のように、本発明にかかる誘導加熱調理器は、導光板に光を照射する光源の取付け構造を簡素化できるので、天板に光を照射し、加熱中であることや被加熱調理具の載置位置を光で表示する誘導加熱調理器などの用途として有用である。
【図面の簡単な説明】
【００３０】
【図１】本発明の一実施の形態における誘導加熱調理器の外観図
【図２】同誘導加熱調理器の分解斜視図
【図３】同誘導加熱調理器の要部分解斜視図
【図４】従来の誘導加熱調理器の断面図
【符号の説明】
【００３１】
１  本体
２  天板
４  操作部
５  誘導加熱コイル
７  導光板
８  電源回路
１０  操作部ユニット
１１  制御回路
１２  第１のカバー（カバー）
１３  第２のカバー（カバー）
１７  光源
２１  壁
２２  凸部
２３  穴（位置決め部）
【図１】
2005116386.tif 000003
【図２】
2005116386.tif 000004
【図３】
2005116386.tif 000005
【図４】
2005116386.tif 000006